(57)【要約】【課題】本発明は、従来にない作用効果を発揮する画期的な印刷機に設けられるウエッブ送り機構を提供することを目的とする。【解決手段】印刷機１に設けられるウエッブ送り機構２であって、このウエッブ送り機構２は、ウエッブ４の表裏面いずれか一方の面にローラ体３を当接させ、このローラ体３を回転させることでウエッブ４を搬送し得るように構成されており、このローラ体３の表面は、適宜な粉体１１が設けられる表面処理が施されたものである。【選択図】        図２
2005041626.tif 000002
【特許請求の範囲】
【請求項１】
印刷機に設けられるウエッブ送り機構であって、このウエッブ送り機構は、ウエッブの表裏面いずれか一方の面にローラ体を当接させ、このローラ体を回転させることでウエッブを搬送し得るように構成されており、このローラ体の表面は、適宜な粉体が設けられる表面処理が施されていることを特徴とする印刷機に設けられるウエッブ送り機構。
【請求項２】
請求項１記載の印刷機に設けられるウエッブ送り機構において、前記適宜な粉体としてセラミック粉体を採用したことを特徴とする印刷機に設けられるウエッブ送り機構。
【請求項３】
請求項１，２いずれか１項に記載の印刷機に設けられるウエッブ送り機構において、前記ローラ体の対向位置には、押圧ローラ体が設けられ、この押圧ローラ体と前記ローラ体とに挟持されてウエッブが搬送されることを特徴とする印刷機に設けられるウエッブ送り機構。
【発明の詳細な説明】
【０００１】
【発明の属する技術分野】
本発明は、印刷機に設けられるウエッブ送り機構に関するものである。
【０００２】
【従来の技術及び発明が解決しようとする課題】
従来から提案されているシール・ラベル印刷機１（間欠式凸版輪転機）は、版胴６Ａと圧胴６Ｂとを対設した印刷部６を複数並設し、この版胴６Ａと圧胴６Ｂとの間にウエッブ４を供給して、該ウエッブ４を各印刷部６により連続的に印刷する構造であり、更に、この印刷機１には各印刷部６を通過するウエッブ４を搬送するウエッブ送り機構２が設けられている。尚、本実施例と同一構成部分には同一符号を付した。
【０００３】
このウエッブ送り機構２は、ウエッブ４の表裏面いずれか一方の面にローラ体を当接させ、このローラ体を回転させることでウエッブ４を搬送し得るように構成されている。
【０００４】
ところで、このウエッブ送り機構２に設けられるローラ体は、ウエッブ４の搬送を良好に達成する為の構造として、図４に図示したように周面に吸気部２０ａを介して真空ポンプに接続される吸気孔２０ｂが設けられ、この吸気孔２０ｂで生じる吸引力によりウエッブ４を吸着させるタイプのローラ体２０や、図５に図示したように機械加工によって周面にローレット加工３０ａを施すことで表面摩擦抵抗を向上させたタイプのローラ体３０が提案されている。符号３１はローラ体３０と共にウエッブ４を挟持状態で押さえるためのニップローラである。
【０００５】
しかしながら、この両者を実際に試してみると、前者はウエッブ４の表面を傷めてしまうことがないものの、吸着が十分でない場合に送りのロスが生じ易く（これは印刷ミスの原因となる。）、しかも、構造が複雑でコスト面に問題点があり、後者は前者に比してコスト面において秀れて、送りのロスも生じにくいというメリットがあるものの、ウエッブ４の表面を傷めてしまうという問題点があることを確認している。
【０００６】
本出願人は、上述の問題点に着目し、種々の実験・研究を重ねた結果、従来にない画期的な作用効果を発揮する印刷機に設けられるウエッブ送り機構を開発した。
【０００７】
【課題を解決するための手段】
添付図面を参照して本発明の要旨を説明する。
【０００８】
また、印刷機１に設けられるウエッブ送り機構２であって、このウエッブ送り機構２は、ウエッブ４の表裏面いずれか一方の面にローラ体３を当接させ、このローラ体３を回転させることでウエッブ４を搬送し得るように構成されており、このローラ体３の表面は、適宜な粉体１１が設けられる表面処理が施されていることを特徴とする印刷機に設けられるウエッブ送り機構に係るものである。
【０００９】
また、請求項１記載の印刷機に設けられるウエッブ送り機構において、前記適宜な粉体１１としてセラミック粉体を採用したことを特徴とする印刷機に設けられるウエッブ送り機構に係るものである。
【００１０】
また、請求項１，２いずれか１項に記載の印刷機に設けられるウエッブ送り機構において、前記ローラ体３の対向位置には、押圧ローラ体５が設けられ、この押圧ローラ体５と前記ローラ体３とに挟持されてウエッブ４が搬送されることを特徴とする印刷機に設けられるウエッブ送り機構に係るものである。
【００１１】
【発明の作用及び効果】
本発明は、ウエッブ４の表裏面いずれか一方の面に当接されるローラ体３を回転させることでウエッブ４が搬送される。
【００１２】
ところで、本発明では、このウエッブ送り機構２に係るローラ体３の表面は、適宜な粉体１１が設けられる表面処理が施されており、よって、簡易且つコスト安にウエッブ４の送りのロスが抑制され、しかも、ウエッブ４の表面に傷が付くことが可及的に防止される（この効果は実験により確認済みである。）。
【００１３】
以上のように、本発明は、従来にない画期的な作用効果を発揮し、極めて商品価値の高いものになる。
【００１４】
【発明の実施の形態】
図面は本発明の一実施例を図示したものであり、以下に説明する。
【００１５】
本実施例に係る印刷機１は、従来から提案されているシール・ラベル印刷機（間欠式凸版輪転機）であり、図１に図示したように版胴６Ａと圧胴６Ｂとを対設した印刷部６を複数並設し、この版胴６Ａと圧胴６Ｂとの間にウエッブ４を供給して、該ウエッブ４を各印刷部６により連続的に印刷する構造である。符号７は印刷前ウエッブ４の送り出し部、８は印刷済みウエッブ４の巻き取り部、９はテンションローラ、１０はＵＶ照射装置である。
【００１６】
また、この印刷機１に各印刷部６を通過するウエッブ４を搬送するウエッブ送り機構２が設けられている。
【００１７】
このウエッブ送り機構２は、図１に図示したように前述したウエッブ４の送り出し部７及び巻き取り部８の間に設けられており、ウエッブ４の裏面４ａにローラ体３を当接させ、このローラ体３を図示省略の駆動装置の作動により回転させることでウエッブ４を搬送し得るように構成されている。尚、このローラ体３は一般にフィードローラと称され、送り出し部７の近傍位置に設けられるのがインローラ、巻き取り部８の近傍位置に設けられるのがアウトローラであり、このフィードローラとアウトローラとは同径であり、同速にして正逆回転自在に制御される。このフィードローラとアウトローラとを正逆回転させるのは所定量送ったウエッブ４を所定量戻し、再び所定量送るという動きを行わせる為である。
【００１８】
ローラ体３は、図２に図示したように左右両端部から回動軸３ａが突設された円柱構造体であり、このローラ体３の表面には、適宜な粉体１１が設けられる表面処理が施されている。
【００１９】
本実施例では、この適宜な粉体１１としてセラミック粉体を採用しており、このセラミック粉体１１を適宜な接着媒体１２を介して付設することで、ローラ体３の表面は微細な摩擦面が形成されている（図３参照）。このセラミック粉体１１の粒度は、ウエッブ４の傷み防止と送りロスの抑制を考慮して適宜設定される。尚、粉体１１としてはセラミック粉体に限られるものではないが、本出願人が行った実験によれば本実施例の特性を発揮する粉体としてはセラミック粉体（例えば有限会社ミゾグチ工業製の粉体セラミック）が最適であるとの結果を得ている。
【００２０】
また、ウエッブ送り機構２に係るローラ体３の対向位置には、該ローラ体３が当接するウエッブ４の裏面４ａと反対の表面４ｂに押圧当接する押圧ローラ体５が設けられている。
【００２１】
従って、ウエッブ送り機構２は、前述したローラ体３とこの押圧ローラ体５とでウエッブ４を挟持しながら搬送することになる。
【００２２】
本実施例は上述のように構成したから、ウエッブ送り機構２によるウエッブ４の搬送に際し、ウエッブ４の裏面４ａに当接されるローラ体３を回転させることでウエッブ４は搬送される。この際、ウエッブ４の表面４ｂには押圧ローラ５が押圧状態で当接している。尚、ウエッブ送り機構２に設けられる制御部は、回動する版胴６Ａの１サイクル終了時且つウエッブ送り加速度（フィードローラ，アウトローラの回転加速度）が零の時にフィードローラ，アウトローラを停止制御するように構成されている。
【００２３】
よって、本実施例によれば、ウエッブ送り機構２に係るローラ体３の表面は、セラミック粉体１１が設けられる表面処理が施されているから、微細な凹凸によって生じる適度な摩擦による搬送となる為、送りのロスが生じにくく且つ表面には傷が付きにくく、しかも、前述した従来例に比して簡易構造であるからコスト安に製造することができる。
【００２４】
また、本実施例は、ローラ体３の対向位置には、該ローラ体３が当接するウエッブ４の裏面４ａと反対の表面４ｂに押圧当接する押圧ローラ体５が設けられているから、ローラ体３の構成と共に、より一層良好なウエッブ４の搬送を達成することができることになる。
【００２５】
尚、本発明は、本実施例に限られるものではなく、各構成要件の具体的構成は適宜設計し得るものである。
【図面の簡単な説明】
【図１】本実施例に係る印刷機の概略説明図である。
【図２】本実施例に係る要部を説明する斜視図である。
【図３】本実施例に係る要部の拡大説明図である。
【図４】従来例を説明する斜視図である。
【図５】従来例を説明する斜視図である。
【符号の説明】
１  印刷機
２  ウエッブ送り機構
３  ローラ体
４  ウエッブ
５  押圧ローラ体
【図１】
2005041626.tif 000003
【図２】
2005041626.tif 000004
【図３】
2005041626.tif 000005
【図４】
2005041626.tif 000006
【図５】
2005041626.tif 000007